【手続補正書】
【提出日】平成18年2月24日(2006.2.24)
【手続補正１】
【補正対象書類名】明細書
【補正対象項目名】特許請求の範囲
【補正方法】変更
【補正の内容】
【特許請求の範囲】
【請求項１】
記録媒体に向かってインクを吐出する複数のノズル及び前記ノズルが配列されるノズル面を有するライン方式の記録ヘッドと、
前記ノズル面に対向するように前記記録媒体を支持するプラテンと、
前記ノズル面をメンテナンスするためのメンテナンスユニットと、
前記記録ヘッド及び前記メンテナンスユニットを制御する制御装置とを備え、
前記メンテナンスユニットは、
前記ノズル面に付着したインクを除去するインク除去部材と、
前記記録ヘッドから予備吐出されたインクを受けるインク受け皿と、
前記インク除去部材を前記ノズル面に当接させながら前記ノズルの配列方向に沿うように、前記記録ヘッドに対して相対的に移動させるメンテナンス移動機構とを備え、
前記メンテナンス移動機構は、前記インク除去部材の移動方向の下流側に配置された前記インク受け皿を前記インク除去部材に追従させるように移動させ、
前記制御装置は、前記インク受け皿に対向する前記ノズルからインクを予備吐出させることを特徴とするインクジェット記録装置。
【請求項２】
請求項１記載のインクジェット記録装置において、
メンテナンス時に、前記プラテンと前記ノズル面とを相対的に離間させる離間機構を備えることを特徴とするインクジェット記録装置。
【請求項３】
請求項２記載のインクジェット記録装置において、
前記離間機構は、前記ノズル面が前記プラテンから離間するように、前記記録ヘッドを移動させることを特徴とするインクジェット記録装置。
【請求項４】
請求項２記載のインクジェット記録装置において、
前記離間機構は、前記ノズル面から離間するように前記プラテンを移動させることを特徴とするインクジェット記録装置。
【請求項５】
請求項１〜４のいずれか一項に記載のインクジェット記録装置において、
前記インク除去部材は、吸収性を有するインク吸収体であることを特徴とするインクジェット記録装置。
【請求項６】
請求項１〜４のいずれか一項に記載のインクジェット記録装置において、
前記インク除去部材は、弾性を有するブレードであることを特徴とするインクジェット記録装置。
【請求項７】
請求項１〜６のいずれか一項に記載のインクジェット記録装置において、
前記インク除去部材と前記ノズル面との相対的な移動速度は、０．１ｃｍ／ｓ以上１００ｃｍ／ｓ以下に設定されていることを特徴とするインクジェット記録装置。
【手続補正２】
【補正対象書類名】明細書
【補正対象項目名】０００９
【補正方法】変更
【補正の内容】
【０００９】
【課題を解決するための手段】
請求項１記載の発明のインクジェット記録装置は、
記録媒体に向かってインクを吐出する複数のノズル及び前記ノズルが配列されるノズル面を有するライン方式の記録ヘッドと、
前記ノズル面に対向するように前記記録媒体を支持するプラテンと、
前記ノズル面をメンテナンスするためのメンテナンスユニットと、
前記記録ヘッド及び前記メンテナンスユニットを制御する制御装置とを備え、
前記メンテナンスユニットは、
前記ノズル面に付着したインクを除去するインク除去部材と、
前記記録ヘッドから予備吐出されたインクを受けるインク受け皿と、
前記インク除去部材を前記ノズル面に当接させながら前記ノズルの配列方向に沿うように、前記記録ヘッドに対して相対的に移動させるメンテナンス移動機構とを備え、
前記メンテナンス移動機構は、前記インク除去部材の移動方向の下流側に配置された前記インク受け皿を前記インク除去部材に追従させるように移動させ、
前記制御装置は、前記インク受け皿に対向する前記ノズルからインクを予備吐出させることを特徴としている。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
さらに、インク受け皿がインク除去部材に追従するので、一度の移動でインクの除去及び予備吐出を行うことができる。したがって、メンテナンスにかかる時間を短縮することができる。
【手続補正５】
【補正対象書類名】明細書
【補正対象項目名】００１３
【補正方法】変更
【補正の内容】
【００１３】
請求項２記載の発明は、請求項１記載のインクジェット記録装置において、
メンテナンス時に、前記プラテンと前記ノズル面とを相対的に離間させる離間機構を備えることを特徴としている。
【手続補正６】
【補正対象書類名】明細書
【補正対象項目名】００１４
【補正方法】変更
【補正の内容】
【００１４】
請求項２記載の発明によれば、離間機構が、プラテンとノズル面とを相対的に離間させるので、インク除去部材が移動するために必要な空間を確保できる。
【手続補正７】
【補正対象書類名】明細書
【補正対象項目名】００１５
【補正方法】変更
【補正の内容】
【００１５】
請求項３記載の発明は、請求項２記載のインクジェット記録装置において、
前記離間機構は、前記ノズル面が前記プラテンから離間するように、前記記録ヘッドを移動させることを特徴としている。
【手続補正８】
【補正対象書類名】明細書
【補正対象項目名】００１６
【補正方法】変更
【補正の内容】
【００１６】
請求項３記載の発明によれば、請求項２記載の発明と同等の作用・効果を奏することができる。
【手続補正９】
【補正対象書類名】明細書
【補正対象項目名】００１７
【補正方法】変更
【補正の内容】
【００１７】
請求項４記載の発明は、請求項２記載のインクジェット記録装置において、
前記離間機構は、前記ノズル面から離間するように前記プラテンを移動させることを特徴としている。
【手続補正１０】
【補正対象書類名】明細書
【補正対象項目名】００１８
【補正方法】変更
【補正の内容】
【００１８】
請求項４記載の発明によれば、請求項２記載の発明と同等の作用・効果を奏することができる。
【手続補正１１】
【補正対象書類名】明細書
【補正対象項目名】００１９
【補正方法】変更
【補正の内容】
【００１９】
請求項５記載の発明は、請求項１〜４のいずれか一項に記載のインクジェット記録装置において、
前記インク除去部材は、吸収性を有するインク吸収体であることを特徴としている。
【手続補正１２】
【補正対象書類名】明細書
【補正対象項目名】００２０
【補正方法】変更
【補正の内容】
【００２０】
請求項５記載の発明によれば、インク除去部材が、吸収性を有するインク吸収体であるので、ノズル面に付着したインクを吸収することで除去できる。
【手続補正１３】
【補正対象書類名】明細書
【補正対象項目名】００２１
【補正方法】変更
【補正の内容】
【００２１】
請求項６記載の発明は、請求項１〜４のいずれか一項に記載のインクジェット記録装置において、
前記インク除去部材は、弾性を有するブレードであることを特徴としている。
【手続補正１４】
【補正対象書類名】明細書
【補正対象項目名】００２２
【補正方法】変更
【補正の内容】
【００２２】
請求項６記載の発明によれば、インク除去部材が、弾性を有するブレードであるので、ノズル面に付着したインクを拭き取ることで除去できる。
【手続補正１５】
【補正対象書類名】明細書
【補正対象項目名】００２３
【補正方法】変更
【補正の内容】
【００２３】
請求項７記載の発明は、請求項１〜６のいずれか一項に記載のインクジェット記録装置において、
前記インク除去部材と前記ノズル面との相対的な移動速度は、０．１ｃｍ／ｓ以上１００ｃｍ／ｓ以下に設定されていることを特徴としている。
【手続補正１６】
【補正対象書類名】明細書
【補正対象項目名】００２４
【補正方法】変更
【補正の内容】
【００２４】
ここで、インク除去部材がブレード又はインク吸収体のいずれの場合においても、インク除去部材とノズル面との相対的な移動速度が１００ｃｍ／ｓより大きければ、ノズル面にインクが残留する可能性が高い。また、移動速度が０．１ｃｍ／ｓ未満であると、メンテナンスにかかる時間が長くなってしまう。このため、請求項７記載の発明のように、インク除去部材とノズル面との相対的な移動速度を、０．１ｃｍ／ｓ以上１００ｃｍ／ｓ以下に設定することにより、短時間で、安定したメンテナンスを行うことができる。
【手続補正１７】
【補正対象書類名】明細書
【補正対象項目名】００５３
【補正方法】変更
【補正の内容】
【００５３】
さらに、一度の移動でインクの除去及び予備吐出を行うことができる。したがって、メンテナンスにかかる時間を短縮することができる。
請求項２記載の発明によれば、インク除去部材が移動するために必要な空間を確保できる。
請求項３記載の発明によれば、請求項２記載の発明と同等の作用・効果を奏することができる。
請求項４記載の発明によれば、請求項２記載の発明と同等の作用・効果を奏することができる。
【手続補正１８】
【補正対象書類名】明細書
【補正対象項目名】００５４
【補正方法】変更
【補正の内容】
【００５４】
請求項５記載の発明によれば、インク除去部材が、弾性を有するブレードであるので、ノズル面に付着したインクを拭き取ることで除去できる。
請求項６記載の発明によれば、インク除去部材が、吸収性を有するインク吸収体であるので、ノズル面に付着したインクを吸収することで除去できる。
請求項７記載の発明によれば、インク除去部材とノズル面との相対的な移動速度を、０．１ｃｍ／ｓ以上１００ｃｍ／ｓ以下に設定されるので、短時間で、安定したメンテナンスを行うことができる。